【手続補正書】
【提出日】平成31年2月28日(2019.2.28)
【手続補正１】
【補正対象書類名】明細書
【補正対象項目名】発明の名称
【補正方法】変更
【補正の内容】
【発明の名称】ヘッドレスト及び車両用シート
【手続補正２】
【補正対象書類名】明細書
【補正対象項目名】０００１
【補正方法】変更
【補正の内容】
【０００１】
本発明は、ヘッドレスト及び車両用シートに関し、特にヘッドレストの左右両側の部位が上下方向に延びた回転軸を中心にして前後にする揺動する技術に関する。
【手続補正３】
【補正対象書類名】明細書
【補正対象項目名】０００５
【補正方法】変更
【補正の内容】
【０００５】
以上の課題を解決するため、請求項１に係る発明は、上下方向に延びる第一回転軸と、上下方向に延びるとともに、前記第一回転軸から左右方向に間隔をおいて配置された第二回転軸と、前記第一回転軸に軸支されて、前記第一回転軸から側方に延出し、前記第一回転軸を中心にして前後に揺動する第一横支持部と、前記第二回転軸に軸支され、前記第二回転軸から側方に延出し、前記第二回転軸を中心にして前後に揺動する第二横支持部と、前記第一横支持部と前記第二横支持部の間に配置されたベース部と、を備え、前記第一横支持部及び前記第二横支持部は板状に形成され、前記第一横支持部の前記第一回転軸に隣り合う部位及び前記第二横支持部の前記第二回転軸に隣り合う部位に少なくとも一つの第一リブが形成されているヘッドレストである。
【手続補正４】
【補正対象書類名】明細書
【補正対象項目名】０００６
【補正方法】変更
【補正の内容】
【０００６】
請求項２に係る発明は、前記第一横支持部及び前記第二横支持部のそれぞれに、上下方向に延出する少なくとも一つの第二リブが形成され、前記第一横支持部及び前記第二横支持部それぞれの前記少なくとも一つの第二リブは、前記第一横支持部及び前記第二横支持部それぞれの上端と下端とを繋いでいる請求項１に記載のヘッドレストである。
【手続補正５】
【補正対象書類名】明細書
【補正対象項目名】０００７
【補正方法】変更
【補正の内容】
【０００７】
請求項３に係る発明は、前記第一横支持部及び前記第二横支持部のそれぞれに、左右方向に延出する少なくとも一つの第三リブが形成されている請求項１又は２に記載のヘッドレストである。
【手続補正６】
【補正対象書類名】明細書
【補正対象項目名】０００８
【補正方法】変更
【補正の内容】
【０００８】
請求項４に係る発明は、前記第一リブは複数ずつ形成され、前記第一リブ以外のリブも複数ずつ形成され、複数の前記第一リブ同士の間隔は、前記第一リブ以外の複数のリブ同士の間隔よりも狭く設定されている請求項２又は３に記載のヘッドレストである。
【手続補正７】
【補正対象書類名】明細書
【補正対象項目名】０００９
【補正方法】変更
【補正の内容】
【０００９】
請求項５に係る発明は、前記ベース部は板状に形成され、当該ベース部には、上下方向に延出する少なくとも一つの第四リブが形成され、前記少なくとも一つの第四リブは、前記ベース部の上端と下端とを繋いでいる請求項１〜４のいずれか一項に記載のヘッドレストである。
【手続補正８】
【補正対象書類名】明細書
【補正対象項目名】００１０
【補正方法】変更
【補正の内容】
【００１０】
請求項６に係る発明は、前記ベース部には、左右方向に延出する少なくとも一つの第五リブが形成されている請求項５に記載のヘッドレストである。
請求項７に係る発明は、前記ベース部は、他部材と嵌合する嵌合部を有し、前記嵌合部の外周に、前記第四リブと前記第五リブのうち少なくとも一方が接している請求項６に記載のヘッドレストである。
請求項８に係る発明は、表皮を更に備え、前記表皮は、上下方向に延出する縫い目を備え、前記縫い目の少なくとも一部は、正面から後ろに向かって投影視した場合に、ヘッドレストピラーと重なるように配置されている請求項１〜７のいずれか一項に記載のヘッドレストである。
請求項９に係る発明は、請求項１〜８のいずれか一項に記載のヘッドレストを備える車両用シートである。
【手続補正９】
【補正対象書類名】明細書
【補正対象項目名】００１１
【補正方法】変更
【補正の内容】
【００１１】
本発明によれば、ヘッドレストの左右両側の部位である横支持部の姿勢及び動きを安定させることができる。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】特許請求の範囲
【補正対象項目名】全文
【補正方法】変更
【補正の内容】
【特許請求の範囲】
【請求項１】
上下方向に延びる第一回転軸と、
上下方向に延びるとともに、前記第一回転軸から左右方向に間隔をおいて配置された第二回転軸と、
前記第一回転軸に軸支されて、前記第一回転軸から側方に延出し、前記第一回転軸を中心にして前後に揺動する第一横支持部と、
前記第二回転軸に軸支され、前記第二回転軸から側方に延出し、前記第二回転軸を中心にして前後に揺動する第二横支持部と、
前記第一横支持部と前記第二横支持部の間に配置されたベース部と、
を備え、
前記第一横支持部及び前記第二横支持部は板状に形成され、
前記第一横支持部の前記第一回転軸に隣り合う部位及び前記第二横支持部の前記第二回転軸に隣り合う部位に少なくとも一つの第一リブが形成されているヘッドレスト。
【請求項２】
前記第一横支持部及び前記第二横支持部のそれぞれに、上下方向に延出する少なくとも一つの第二リブが形成され、
前記第一横支持部及び前記第二横支持部それぞれの前記少なくとも一つの第二リブは、前記第一横支持部及び前記第二横支持部それぞれの上端と下端とを繋いでいる
請求項１に記載のヘッドレスト。
【請求項３】
前記第一横支持部及び前記第二横支持部のそれぞれに、左右方向に延出する少なくとも一つの第三リブが形成されている
請求項１又は２に記載のヘッドレスト。
【請求項４】
前記第一リブは複数ずつ形成され、
前記第一リブ以外のリブも複数ずつ形成され、
複数の前記第一リブ同士の間隔は、前記第一リブ以外の複数のリブ同士の間隔よりも狭く設定されている
請求項２又は３に記載のヘッドレスト。
【請求項５】
前記ベース部は板状に形成され、当該ベース部には、上下方向に延出する少なくとも一つの第四リブが形成され、
前記少なくとも一つの第四リブは、前記ベース部の上端と下端とを繋いでいる
請求項１〜４のいずれか一項に記載のヘッドレスト。
【請求項６】
前記ベース部には、左右方向に延出する少なくとも一つの第五リブが形成されている
請求項５に記載のヘッドレスト。
【請求項７】
前記ベース部は、他部材と嵌合する嵌合部を有し、
前記嵌合部の外周に、前記第四リブと前記第五リブのうち少なくとも一方が接している
請求項６に記載のヘッドレスト。
【請求項８】
表皮を更に備え、
前記表皮は、上下方向に延出する縫い目を備え、
前記縫い目の少なくとも一部は、正面から後ろに向かって投影視した場合に、前記第一横支持部及び前記第二横支持部の揺動する箇所と、ヘッドレストピラーと重なるように配置されている
請求項１〜７のいずれか一項に記載のヘッドレスト。
【請求項９】
請求項１〜８のいずれか一項に記載のヘッドレストを備える
車両用シート。